【手続補正書】
【提出日】平成18年10月11日(2006.10.11)
【手続補正１】
【補正対象書類名】明細書
【補正対象項目名】特許請求の範囲
【補正方法】変更
【補正の内容】
【特許請求の範囲】
【請求項１】
テスト・ポイントを選択する方法であって、
第１のコンポーネント・グループから第１のコンポーネントのサブセットを選択するステップであって、前記第１のコンポーネント・グループが、第１のノード集合によって相互接続され、前記第１のノード集合が、アクセス不能な第１のノードのサブセットとアクセス可能な第２のノードのサブセットに分割されることからなる、ステップと、
前記第２のノードのサブセットをアクセス可能ノードとして用いて、前記第１のコンポーネントのサブセットを第１の構成をなす等価クラスに分割するステップと、
前記第２のノードのサブセットから第３のノードのサブセットを除去して、テスト・ポイントのノードの集合を生成するステップ
を含み、
前記テスト・ポイントのノードの集合をアクセス可能ノードとして使用するときには、前記第１のコンポーネントのサブセットが、前記第１の構成をなす等価クラスに分割されることからなる、方法。
【請求項２】
第３のノードのサブセットを除去する前記ステップが、さらに、
（ａ）前記第２のノードのサブセットから第１のノードを選択するステップと、
（ｂ）アクセス可能ノードとして、前記第１のノードのない前記第２のノード集合を使用して、前記第１のコンポーネントのサブセットを第２の構成をなす等価クラスに分割するステップと、
（ｃ）前記第１の構成をなす等価クラスと前記第２の構成をなす等価クラスを比較するステップと、
（ｄ）前記第１の構成をなす等価クラスと前記第２の構成をなす等価クラスが同じ場合には、前記第３のノードのサブセットに前記第１のノードを追加するステップと、
（ｅ）ステップ（ａ）〜（ｄ）を繰り返すステップ
を含む、請求項１の方法。
【請求項３】
前記テスト・ポイントのノードの集合に第４のノードのサブセットを追加するステップであって、前記第４のノードのサブセットが、前記第２のノード集合のメンバであり、前記第１のコンポーネントのサブセットに接続されることからなる、ステップをさらに含む、請求項２の方法。
【請求項４】
テスト・ポイントを選択するための方法ステップを実施する、コンピュータによって実行可能な命令プログラムを明確に具現化した、コンピュータによる読み取りが可能なプログラムの記憶媒体であって、前記方法が、
第１のコンポーネント・グループから第１のコンポーネントのサブセットを選択するステップであって、前記第１のコンポーネント・グループが、第１のノード集合によって相互接続され、前記第１のノード集合が、アクセス不能な第１のノードのサブセットとアクセス可能な第２のノードのサブセットに分割されることからなる、ステップと、
前記第２のノードのサブセットをアクセス可能ノードとして用いて、前記第１のコンポーネントのサブセットを第１の構成をなす等価クラスに分割するステップと、
前記第２のノードのサブセットから第３のノードのサブセットを除去して、テスト・ポイントのノードの集合を生成するステップ
を含み、
前記テスト・ポイントのノードの集合をアクセス可能ノードとして使用するときには、前記第１のコンポーネントのサブセットが、前記第１の構成をなす等価クラスに分割されることからなる、プログラム記憶媒体。
【請求項５】
第３のノードのサブセットを除去する前記ステップが、
（ａ）前記第２のノードのサブセットから第１のノードを選択するステップと、
（ｂ）アクセス可能ノードとして、前記第１のノードのない前記第２のノード集合を使用して、前記第１のコンポーネントのサブセットを第２の構成をなす等価クラスに分割するステップと、
（ｃ）前記第１の構成をなす等価クラスと前記第２の構成をなす等価クラスを比較するステップと、
（ｄ）前記第１の構成をなす等価クラスと前記第２の構成をなす等価クラスが同じ場合には、前記第３のノードのサブセットに前記第１のノードを追加するステップと、
（ｅ）ステップ（ａ）〜（ｄ）を繰り返すステップ
をさらに含む、請求項４のプログラム記憶媒体。
【請求項６】
前記テスト・ポイントのノードの集合に第４のノードのサブセットを追加するステップであって、前記第４のノードのサブセットが、前記第２のノード集合のメンバであり、前記第１のコンポーネントのサブセットに接続されることからなる、ステップ
をさらに含むことからなる、請求項５のプログラム記憶媒体。
【請求項７】
テスト・ポイントを選択するための装置であって、
第１のコンポーネント・グループから第１のコンポーネントのサブセットを選択するための手段であって、前記第１のコンポーネント・グループが、第１のノード集合によって相互接続され、前記第１のノード集合が、アクセス不能な第１のノードのサブセットとアクセス可能な第２のノードのサブセットに分割されることからなる、手段と、
前記第２のノードのサブセットをアクセス可能ノードとして用いて、前記第１のコンポーネントのサブセットを第１の構成をなす等価クラスに分割するための手段と、
前記第２のノードのサブセットから第３のノードのサブセットを除去して、テスト・ポイントのノードの集合を生成するための手段
を備え、
前記テスト・ポイントのノードの集合をアクセス可能ノードとして使用するときには、前記第１のコンポーネントのサブセットが、前記第１の構成をなす等価クラスに分割されることからなる、装置。
【請求項８】
前記第２のノードのサブセットから第１のノードを選択するための手段と、
アクセス可能ノードとして、前記第１のノードのない前記第２のノード集合を使用して、前記第１のコンポーネントのサブセットを第２の構成をなす等価クラスに分割するための手段と、
前記第１の構成をなす等価クラスと前記第２の構成をなす等価クラスを比較するための手段と、
前記第１の構成をなす等価クラスと前記第２の構成をなす等価クラスが同じ場合に、前記第３のノードのサブセットに前記第１のノードを追加するための手段
をさらに備える、請求項７の装置。
【請求項９】
前記テスト・ポイントのノード集合に第４のノードのサブセットを追加するための手段であって、前記第４のノードのサブセットが、前記第２のノード集合のメンバであり、前記第１のコンポーネントのサブセットに接続されることからなる、手段
をさらに備える、請求項８の装置。
【請求項１０】
テスト・ポイントを選択するための装置において、該装置は処理システムを備え、該処理システムは、少なくとも１つのプロセッサを備え、該処理システムは、第１のコンポーネント・グループから第１のコンポーネントのサブセットを選択し、該第１のコンポーネント・グループは、第１のノード集合によって相互接続され、該第１のノード集合は、アクセス不能な第１のノードのサブセットとアクセス可能な第２のノードのサブセットに分割され、前記処理システムは、前記第２のノードのサブセットをアクセス可能ノードとして用いて、前記第１のコンポーネントのサブセットを第１の構成をなす等価クラスに分割し、前記処理システムは、前記第２のノードのサブセットから第３のノードのサブセットを除去して、テスト・ポイントのノードの集合を決定し、該テスト・ポイントのノードの集合をアクセス可能ノードとして使用するときには、前記第１のコンポーネントのサブセットが、前記第１の構成をなす等価クラスに分割されることからなる、装置。